(57)【要約】      （修正有）【課題】低電流用の出力電流のノイズを低減し、かつ、高電流用の出力電流を同時に得ることができる電流出力回路を提供する。【解決手段】低電流用電流出力回路Ａと高電流用電流出力回路Ｂとが出力端子ＯＵＴ１を共有して設けられ、低電流用電流出力回路Ａがつぎのように構成されている。仮想短絡を用い定電流を生成する増幅器ＡＭＰ１の１つの入力端に入力端子ＩＮ１と共に入力抵抗Ｒ１１の一端部が接続され、増幅器の他の入力端には、負荷抵抗Ｒ１２の一端部が接続されている。増幅器の差動出力は、一対のＮＰＮトランジスタＱ１２、Ｑ１３のそれぞれのエミッタに入力され、そのコレクタにはカレントミラー回路（ＰＮＰトランジスタＱ１４、Ｑ１５、Ｑ１６と電流源Ｉ１）が接続されている。負荷抵抗Ｒ１２に直列に接続されたトランジスタＱ１１のベースにその出力が入力され、そのコレクタから出力される。【選択図】図１
2007267324.tif 000002
【特許請求の範囲】
【請求項１】
レーザダイオード駆動用の電流出力回路であって、少なくとも出力端子が共通化された低電流用電流出力回路と高電流用電流出力回路とを具備し、かつ、該低電流用電流出力回路が、（ａ）増幅器の特性である仮想短絡を用い定電流を生成する増幅器と、（ｂ）該増幅器の１つの入力端に入力端子と共に一端部が接続され、他端部がアースに接続されて、電流を電圧に変換し、かつ、出力電流を設定し得る入力抵抗と、（ｃ）前記増幅器の他の入力端に一端部が接続され、他端部がアースに接続されて、前記入力抵抗との比により出力電流値を設定し、かつ、出力電流ノイズを低減させ得る前記増幅器の負荷抵抗と、（ｄ）前記増幅器の差動出力を受け、一方のトランジスタから信号を出力するためのベースが相互に接続された一対のトランジスタと、（ｅ）該一対のトランジスタに電流を供給するためのトランジスタのカレントミラー回路からなる電流源と、（ｆ）前記負荷抵抗の前記一端部にエミッタまたはコレクタが接続され、ベースが前記一対のトランジスタの出力部に接続されて帰還回路を構成し、出力電流を供給する出力トランジスタ、とを有することを特徴とする電流出力回路。
【請求項２】
前記出力電流を供給する出力トランジスタのベースとアース間に帰還回路の帯域を落すキャパシタが接続されてなる請求項１記載の電流出力回路。
【発明の詳細な説明】
【技術分野】
【０００１】
本発明は、レーザダイオード駆動用の電流出力回路に関する。さらに詳しくは、レーザダイオードの読出し用の低出力においてローノイズで、かつ、書込み用の高出力において安定した高電流を供給することができる電流出力回路に関するものである。
【背景技術】
【０００２】
従来のレーザダイオード駆動用の電流出力回路としては、図４に示されるように、読出し時の５０〜１００ｍＡ、書込み時の２００〜５００ｍＡ以上の電流が要求される他、消去時にはその中間の電流が要求される。さらに、読出し時は、レーザ光の出力も小さく小さい信号の識別を行う必要があることから、ＳＮ比を向上させるため、ローノイズであることが要求される。
【０００３】
このような電流出力回路としては、たとえば図５に示されるような構成が知られている。すなわち、図５において、仮想短絡を用い定電流を生成する増幅器ＡＭＰ４の一方の入力端（正端子）に、入力端子ＩＮ４と共に、電流を電圧に変換するためアースとの間に接続される入力抵抗Ｒ４１の一端部が接続されている。そして、増幅器ＡＭＰ４の出力がＮＰＮトランジスタＱ４１のベースに接続され、そのＮＰＮトランジスタＱ４１のエミッタが抵抗Ｒ４３を介してアースに接続され、コレクタが電源端子Ｖccに接続されている。
【０００４】
そして、ＮＰＮトランジスタＱ４１のエミッタと抵抗Ｒ４３との接続点が、基準電流を出力するためのＮＰＮトランジスタＱ４２のベースおよび出力電流を出力するためのＮＰＮトランジスタＱ４３のベースにそれぞれ接続され、ＮＰＮトランジスタＱ４２のエミッタはアースに接続され、コレクタはカレントミラー回路を構成する一方のＰＮＰトランジスタＱ４４のコレクタに接続され、ＰＮＰトランジスタＱ４４は、そのエミッタが電源端子ＶCCに接続され、そのコレクタとベースとが接続されると共に、カレントミラー回路を構成する他方のＰＮＰトランジスタＱ４５のベースに接続されている。他方のＰＮＰトランジスタＱ４５のエミッタは電源端子ＶCCに接続され、コレクタが増幅器ＡＭＰ４の負荷抵抗Ｒ４２を介してアースに接続され、コレクタと負荷抵抗Ｒ４２の接続点が増幅器ＡＭＰ４の他方の入力端（負端子）に接続されることにより、トランジスタＱ４２の基準電流を増幅器ＡＭＰ４側に折り返している。なお、ＮＰＮトランジスタＱ４３のエミッタはアースに接続され、コレクタは出力端子ＯＵＴ４になっている。
【発明の開示】
【発明が解決しようとする課題】
【０００５】
前述の図５に示される従来の電流出力回路では、出力端子ＯＵＴ４に出力される電流は、トランジスタＱ４４、Ｑ４５からなるＰＮＰカレントミラー回路と、トランジスタＱ４２、Ｑ４３からなる出力回路の面積比を調整することにより、ほぼ無制限に設定することが可能となるため、書込み用の高出力電流は得られやすい。しかし、電流出力ノイズは入力抵抗Ｒ４１の熱雑音４ＫＴＲ41（Ｋはボルツマン定数、Ｔは絶対温度、Ｒ41は入力抵抗Ｒ４１の抵抗値）と増幅器ＡＭＰ４での入力換算雑音電圧ＶNO4の和を負荷抵抗Ｒ４２の
抵抗値Ｒ42の２乗で割ったものに、さらに、カレントミラー回路での電流増幅率を掛けて、トランジスタＱ４４、Ｑ４５で発生する雑音を足し合わせ、さらにこれにトランジスタＱ４２、Ｑ４３での電流増幅率を掛け、トランジスタＱ４２、Ｑ４３で発生する雑音を足したものが出力される。
【０００６】
すなわち、負荷抵抗Ｒ４２の抵抗値を大きくすることができて、その負荷抵抗Ｒ４２から直接電流を出力することができれば出力電流のノイズを小さくすることができるが、カ
レントミラー回路やトランジスタＱ４２、Ｑ４３からなる出力回路を経て出力しているため、それらのトランジスタでその前段のノイズが増幅されると共に、これらのトランジスタのノイズも加わり、低電流出力にしてもノイズが非常に大きくなって、低電流出力でのノイズを低く抑えることができないという問題がある。
【０００７】
本発明は、このような問題を解決するためになされたもので、低電流用の出力電流のノイズを低減し、かつ、高電流用の出力電流を同時に得ることができる電流出力回路を提供することを目的とする。
【課題を解決するための手段】
【０００８】
本発明によるレーザダイオード駆動用の電流出力回路は、少なくとも出力端子が共通化された低電流用電流出力回路と高電流用電流出力回路とを具備し、かつ、該低電流用電流出力回路が、（ａ）増幅器の特性である仮想短絡を用い定電流を生成する増幅器と、（ｂ）該増幅器の１つの入力端に入力端子と共に一端部が接続され、他端部がアースに接続されて、電流を電圧に変換し、かつ、出力電流を設定し得る入力抵抗と、（ｃ）前記増幅器の他の入力端に一端部が接続され、他端部がアースに接続されて、前記入力抵抗との比により出力電流値を設定し、かつ、出力電流ノイズを低減させ得る前記増幅器の負荷抵抗と、（ｄ）前記増幅器の差動出力を受け、一方のトランジスタから信号を出力するためのベースが相互に接続された一対のトランジスタと、（ｅ）該一対のトランジスタに電流を供給するためのトランジスタのカレントミラー回路からなる電流源と、（ｆ）前記負荷抵抗の前記一端部にエミッタまたはコレクタが接続され、ベースが前記一対のトランジスタの出力部に接続されて帰還回路を構成し、出力電流を供給する出力トランジスタ、とを有することを特徴とする。
【０００９】
前記出力電流を供給する出力トランジスタのベースとアース間に帰還回路の帯域を落すキャパシタが接続されていることにより、さらにローノイズとすることができる。
【発明の効果】
【００１０】
本発明の電流出力回路によれば、低電流用電流出力回路と高電流用電流出力回路とを別々の構成にして、両方を同じ出力端子から出力させるようにしながら、低電流用の電流出力回路を、増幅器に帰還する帰還抵抗（負荷抵抗）を出力取出し用トランジスタの直下に設ける回路構成にしているため、増幅器の負荷抵抗の抵抗値を大きくすることにより、出力電流を非常にローノイズにすることができる。一方、高電流用の電流出力回路は低電流用電流出力回路と出力端子を共通にしながら低電流用電流出力用回路とは別の回路構成にしているため、ノイズの影響を気にすることなく、カレントミラー回路と出力トランジスタ側の回路との面積比を調整することにより、自由に高電流化することができる。その結果、読出し時の低電流動作に対しては非常にローノイズの電流を供給することができ、書込み時の高電流動作に対しては書込みに充分な電流を供給することができる。
【００１１】
また、出力トランジスタのベースとアースとの間にキャパシタが接続されることにより、高周波帯域での出力電流ノイズを小さくすることができるため、ノイズに関する帰還回路の帯域を落すことができ、より一層のノイズの低減を図ることができる。
【発明を実施するための最良の形態】
【００１２】
つぎに、図面を参照しながら本発明の電流出力回路について説明をする。本発明によるレーザダイオード駆動用の電流出力回路は、その一実施形態の等価回路図が図１に示されるように、少なくとも出力端子を共通化して、低電流用電流出力回路Ａと高電流用電流出力回路Ｂとが並列に接続され、かつ、低電流用電流出力回路Ａがつぎのように構成されていることに特徴がある。なお、図示されていないが、低電流用電流出力回路Ａと高電流用電流出力回路Ｂのそれぞれの出力端子ＯＵＴ１側にスイッチ素子が挿入されて、使用しな
い側の回路を分断することが好ましい。また、図１に示される例では、低電流用電流出力回路Ａの入力端子ＩＮ１と高電流用電流出力回路Ｂの入力端子ＩＮ２とが別々に設けられているが、入力端子も共通化して、スイッチ素子により切り替えることもできる。
【００１３】
本発明による低電流用電流出力回路Ａは、増幅器の特性である仮想短絡を用い定電流を生成する増幅器ＡＭＰ１の１つの入力端（正端子）に入力端子ＩＮ１と共に入力抵抗Ｒ１１の一端部が接続され、入力抵抗Ｒ１１の他端部はアースに接続されている。増幅器ＡＭＰ１の他の入力端（負端子）には増幅器ＡＭＰ１の負荷抵抗Ｒ１２の一端部が接続され、負荷抵抗Ｒ１２の他端部はアースに接続されている。増幅器ＡＭＰ１の差動出力は、信号を出力するためのベースが相互に接続された一対のトランジスタＱ１２、Ｑ１３のエミッタに入力され、その一方のトランジスタＱ１３からの出力信号は出力トランジスタＱ１１のベースに入力されると共に、一対のトランジスタＱ１２、Ｑ１３に電流を供給するための３個のトランジスタＱ１４、Ｑ１５、Ｑ１６と電流源Ｉ１とにより形成されるカレントミラー回路からなる電流供給回路に接続されている。そして、出力トランジスタＱ１１のエミッタまたはコレクタは前述の負荷抵抗Ｒ１２の一端部に接続されることにより帰還回路を構成し、そのコレクタまたはエミッタが出力端子ＯＵＴ１に接続されて出力電流Ｉref1が取りだされる。
【００１４】
増幅器ＡＭＰ１は、２つの入力電圧をそれぞれ増幅して差動出力を出し、出力を取りだす一対のトランジスタＱ１２、Ｑ１３に流れる電流値を変動させるものである。入力抵抗Ｒ１１は、入力端子ＩＮ１から入力される電流を電圧に変換して増幅器ＡＭＰ１の一方の入力端（正端子）に入力させるもので、出力電流を設定する機能も有している。増幅器ＡＭＰ１の負荷抵抗Ｒ１２は、その一端部が増幅器ＡＭＰ１の他方の入力端（負端子）に接続され、他端部はアースに接続されており、入力抵抗Ｒ１１との比により出力電流値を設定することができると共に、負荷抵抗Ｒ１２の抵抗値を大きくすることにより、後述するように、電流ノイズはその抵抗値の２乗に反比例するため、電流ノイズを小さくすることができ、電流ノイズを制御している。そして、この負荷抵抗Ｒ１２の一端部に出力トランジスタＱ１１のエミッタまたはコレクタ、たとえばＮＰＮトランジスタＱ１１のエミッタが接続され、そのコレクタが出力端子ＯＵＴ１に接続されることにより出力電流を供給する回路を構成している。すなわち、本発明では、出力トランジスタＱ１１の直下に負荷抵抗Ｒ１２が接続されていることにより、電流ノイズを小さくし得ることに特徴がある。
【００１５】
一対のトランジスタＱ１２、Ｑ１３は、増幅器ＡＭＰ１の差動出力を取りだすもので、たとえばＮＰＮトランジスタＱ１２、Ｑ１３のベースは、相互に接続されると共にＮＰＮトランジスタＱ１２のコレクタと接続され、それぞれのコレクタはカレントミラー回路を構成する、たとえば一対のＰＮＰトランジスタＱ１５、Ｑ１６のコレクタに接続されている。トランジスタＱ１３のコレクタは、前述のように、たとえばＮＰＮトランジスタからなる出力トランジスタＱ１１のベースに接続されている。
【００１６】
カレントミラー回路は電流供給回路を構成しており、たとえば一対のＮＰＮトランジスタＱ１２、Ｑ１３のコレクタにそれぞれコレクタが接続される、たとえばＰＮＰトランジスタＱ１５、Ｑ１６と、このトランジスタＱ１５、Ｑ１６のベースとベースが相互に接続される、たとえばＰＮＰトランジスタＱ１４と、このＰＮＰトランジスタQ１４のコレク
タとアース間に接続される電流源Ｉ１とかなり、前述の一対のトランジスタＱ１２、Ｑ１３に電流を供給するように構成されている。ＰＮＰトランジスタＱ１４、Ｑ１５、Ｑ１６のエミッタは、それぞれ電源端子Ｖccに接続され、トランジスタＱ１４のベースとコレクタとは短絡されて電流源Ｉ１に接続されている。
【００１７】
高電流用電流出力回路Ｂはつぎのような構成になっている。すなわち、増幅器の特性である仮想短絡を用い定電流を生成する増幅器ＡＭＰ２の１つの入力端（正端子）に入力端
子ＩＮ２と共に入力抵抗Ｒ２１の一端部が接続され、入力抵抗Ｒ２１の他端部はアースに接続されている。この入力抵抗Ｒ２１は、入力電流を電圧に変換し、かつ、基準電流Ｉ２１を設定するものである。増幅器ＡＭＰ２の他の入力端（負端子）には、増幅器ＡＭＰ２の負荷抵抗Ｒ２２の一端部が接続され、負荷抵抗Ｒ２２の他端部はアースに接続されている。この負荷抵抗Ｒ２２は、入力抵抗Ｒ２１との抵抗値の比により帰還出力電流Ｉ２１値を設定するものである。増幅器ＡＭＰ２の差動出力は、信号出力とするため２個の、たとえばＮＰＮトランジスタＱ２１、Ｑ２２により形成される一対のトランジスタＱ２１、Ｑ２２のエミッタに入力され、その一対のトランジスタＱ２１、Ｑ２２に電流を供給するための３個のトランジスタＱ２６、Ｑ２７、Ｑ２８と電流源Ｉ２とにより形成されるカレントミラー回路からなる電流供給回路に接続されている。
【００１８】
すなわち、一対のトランジスタＱ２１、Ｑ２２のベースは相互に接続されると共にトランジスタＱ２１のコレクタと接続され、それぞれのコレクタは、カレントミラー回路を構成する一対の、たとえばＰＮＰトランジスタＱ２７、Ｑ２８のコレクタに接続され、前述のようにトランジスタＱ２２のコレクタがトランジスタＱ２３のベースに接続されている。カレントミラー回路を構成する一対のトランジスタＱ２７、Ｑ２８のエミッタはそれぞれ電源端子Ｖccに接続され、それぞれのベースは相互に接続されると共に、電流を供給する、たとえばＰＮＰトランジスタＱ２６のベースに接続され、トランジスタＱ２６のベースとコレクタとは短絡されて電流源Ｉ２を介してアースに接続され、コレクタは電源端子Ｖccに接続されている。
【００１９】
そして、一対のトランジスタのトランジスタＱ２２のコレクタからの出力信号は出力電流を供給する、たとえばＮＰＮトランジスタＱ２３のベースに入力され、トランジスタＱ２３のエミッタは抵抗Ｒ２３を介してアースに接続され、コレクタは電源端子Ｖccに接続されている。このトランジスタＱ２３は、基準電流Ｉ２２を出力するための、たとえばＮＰＮトランジスタＱ２４、および出力電流Ｉref2を出力するための、たとえばＮＰＮトランジスタＱ２５にベース電流を供給するもので、抵抗Ｒ２３がトランジスタＱ２４、Ｑ２５のベース・エミッタ間電圧Ｖbeを生成する。トランジスタＱ２４のコレクタは、基準電流Ｉ２２を基準電流Ｉ２１に折り返すための、たとえばＰＮＰトランジスタＱ２９、Ｑ２１０からなるカレントミラー回路を構成するトランジスタＱ２１０コレクタに接続され、エミッタはアースに接続されている。また、出力電流を取りだす出力トランジスタＱ２５のエミッタはアースに接続され、コレクタが出力端子ＯＵＴ１に接続されることにより、高出力電流Ｉref2が出力端子ＯＵＴ１から取りだされる。
【００２０】
また、基準電流Ｉ２２を基準電流Ｉ２１に折り返して増幅器ＡＭＰ２に帰還させるカレントミラー回路のトランジスタＱ２９、Ｑ２１０は、たとえばＰＮＰトランジスタからなり、そのベースが相互に接続されると共に、トランジスタＱ２１０のコレクタとベースとが短絡されて前述のトランジスタＱ２４のコレクタと接続され、エミッタは電源端子Ｖccに接続されている。そして、トランジスタＱ２９のコレクタは、前述の負荷抵抗Ｒ２２を介してアースに接続され、エミッタは電源端子Ｖccに接続されている。この負荷抵抗Ｒ２２とコレクタとの接続点が、前述のように、増幅器ＡＭＰ２の他の入力端に接続されて、出力電流を帰還させる回路になっている。
【００２１】
つぎに、この回路の動作について説明をする。まず、低電流用電流出力回路Ａでは、増幅器ＡＭＰ１の仮想短絡の特性により、入力電圧値または入力電流×入力抵抗Ｒ１１の電圧値で負端子側の電圧値、すなわち負荷抵抗Ｒ１２の電圧値を設定し、その設定した電圧値／抵抗Ｒ12（抵抗Ｒ１２の抵抗値）で出力電流Ｉref1を設定する。すなわち、出力電流Ｉref1は入力抵抗Ｒ１１と負荷抵抗Ｒ１２の抵抗の比により設定することが可能となる。このとき、出力電流ノイズは、入力抵抗Ｒ１１で発生する熱雑音と増幅器ＡＭＰ１で発生する雑音の入力換算値を足したものを、抵抗Ｒ１２の抵抗値の２乗で割ったものが出力電
流Ｉref1の電流ノイズになる。そのため、負荷抵抗Ｒ１２の抵抗値を大きくすることにより出力電流ノイズの低減が可能となる。また、最大出力電流は、Ｖcc＝Ｉref1×Ｒ12＋Ｑ１１のＶbe+Ｑ１６のＶceとなるときであるため、出力電流ノイズを小さくするため、負
荷抵抗Ｒ１２の抵抗値Ｒ12を大きくすると、最大出力電流は低下する。そのため、高出力電流を用いる場合は、高出力電流用回路Ｂを使用する。
【００２２】
高出力電流用回路Ｂでは、増幅器ＡＭＰ２の仮想短絡の特性により、入力電圧値または入力電流×入力抵抗Ｒ２１の抵抗値Ｒ21の電圧値により、負端子側の電圧値、すなわち負荷抵抗Ｒ２２の電圧値を設定し、その設定した電圧値／負荷抵抗Ｒ２２の抵抗値Ｒ22により基準電流Ｉ２１を設定し、基準電流Ｉ２１を、トランジスタＱ２９、Ｑ２１０により形成されるカレントミラー回路を用いて、基準電流Ｉ２２として折り返す。すなわち、基準電流Ｉ２２は、トランジスタＱ２９、Ｑ２１０のカレントミラー回路の電流増幅率ａとすると、Ｉ２２＝Ｉ２１×ａと任意の値に設定することができる。また、出力電流Ｉref2は、トランジスタＱ２４、Ｑ２５のトランジスタ面積比をｂとすると、Ｉref2＝Ｉ２２×ｂ＝Ｉ２１×ａ×ｂと設定することが可能となる。このときの最大出力電流は、Ｖcc＝Ｉ２１×Ｒ22となるときであるため、その後のトランジスタＱ２９、Ｑ２１０のカレントミラー回路の電流増幅率ａとトランジスタＱ２４、Ｑ２５のトランジスタ面積比ｂを調整することにより、無限に最大出力電流を設定することが可能である。
【００２３】
一方、出力電流ノイズは、入力抵抗Ｒ２１の熱雑音と増幅器ＡＭＰ２で発生する雑音の入力換算値を足し合せ、それを負荷抵抗Ｒ２２の抵抗値Ｒ22の２乗で割ったものに、カレントミラー回路の電流増幅率ａを乗じ、さらにカレントミラー回路のトランジスタＱ２９、Ｑ２１０で発生するノイズを足し合わせ、この値にトランジスタＱ２４、Ｑ２５の面積比ｂを乗じ、さらにトランジスタＱ２４、Ｑ２５で発生するノイズを足し合せたものが出力される。そのため、高出力電流回路Ｂでは、低出力電流回路ＡよりもトランジスタＱ２９、Ｑ２１０、Ｑ２４、Ｑ２５で発生するノイズが含まれるため、ローノイズの電流出力回路を得難い。しかしながら、本発明の電流出力回路は、ローノイズの低電流用電流出力回路Ａを別に内蔵しているため、ローノイズの必要なときは低電流用電流出力回路Ａを用いることができ、この高電流用電流出力回路Ｂは、レーザダイオードの書込み用または消去用の場合の大きな電流値が必要な場合にのみ用いるようにすることができるため、ノイズの問題は生じない。すなわち、本発明では、ローノイズの低電流用電流出力回路と、高出力電流が得られる高電流用電流出力回路が設けられているため、それぞれの回路を使い分けることにより、両方の特性を共に満たすことができる。
【００２４】
図２は、本発明の他の実施形態を示す図１と同様の等価回路図である。この例では、低電流用電流出力回路Ａの出力トランジスタである、たとえばＮＰＮトランジスタＱ１１のベースとアースとの間にキャパシタＣ１１が接続されたものである。低電流用電流出力回路Ａの他の部分および高電流用電流出力回路Ｂは、前述の図１に示される回路と同じで、同じ部分には同じ符号を付してその説明を省略する。このキャパシタＣ１１は、高周波ノイズを短絡して、ノイズに対する帰還回路の帯域を落すことにより、出力電流をよりローノイズにするものである。すなわち、キャパシタ（容量値Ｃ）の抵抗成分は、１／ｊωＣであるため、周波数の高いノイズ成分は短絡されることになり、図３にキャパシタを接続した場合Ｃと、キャパシタを接続しない場合Ｎの周波数に対するノイズ特性の図が示されるように、周波数の高い領域でのノイズを低下させることができる。
【００２５】
以上のように、本発明によれば、電流出力回路を読出し用の低電流用電流出力回路と、書込み用の高電流用電流出力回路との別構成にして出力端子を共通化しており、さらに、低電流用電流出力回路を、増幅器の仮想短絡特性を用いた電流出力回路で、増幅器の負荷抵抗を出力に一番近いノードで接続しているため、増幅器の負荷抵抗の抵抗値を大きくすることができ、ローノイズの電流を供給することができる。一方、書込みの際には、カレ
ントミラー回路と出力回路の面積比を自由に調整することができる高電流用電流出力回路を用いているため、大電流も支障なく得ることができる。その結果、低電流で駆動するデータの読出しを非常にローノイズで動作させることができ、ＳＮ比を大幅に向上させることができながら、書込みの場合にも充分なレーザ出力を得ることができ、正確な書込みを行うことができる。
【図面の簡単な説明】
【００２６】
【図１】本発明による電流出力回路の一実施形態を示す等価回路図である。
【図２】本発明による電流出力回路の他の実施形態を示す等価回路図である。
【図３】キャパシタによるノイズ低減の周波数特性を示す図である。
【図４】レーザダイオードの読出し、消去、書込みに対する動作電流の関係を示す図である。
【図５】従来のレーザダイオード駆動用の電流出力回路の等価回路図である。
【符号の説明】
【００２７】
Ｑ１１〜Ｑ１３、Ｑ２１〜Ｑ２５    ＮＰＮトランジスタ
Ｑ１４〜Ｑ１６、Ｑ２６〜Ｑ２９、Ｑ２１０    ＰＮＰトランジスタ
Ｃ１１  キャパシタ
Ｒ１１〜Ｒ１２、Ｒ２１〜Ｒ２３  抵抗
ＡＭＰ１、ＡＭＰ２    増幅器
Ｉ１、Ｉ２    電流源
【図１】
2007267324.tif 000003
【図２】
2007267324.tif 000004
【図３】
2007267324.tif 000005
【図４】
2007267324.tif 000006
【図５】
2007267324.tif 000007